(57)【要約】【課題】受信信号の品質劣化を生じることなく、受信アンテナダイバーシチのための制御を行えるようにする。【解決手段】フレームごとにその最初の受信スロットで受信されたパケットデータからＰＥビットを検出し、このＰＥビット期間にメインアンテナ１とサブアンテナ２４を交互に切り替えてそれぞれＲＳＳＩを測定し、その測定結果をもとにＲＳＳＩの高い側のアンテナを選択してアンテナ共用器２に接続するようにしたものである。【選択図】      図６
2007043749.tif 000002
【特許請求の範囲】
【請求項１】
受信回路及び送信回路を備え、フレームごとに時分割多重された複数の受信スロットにおいてそれぞれパケットデータを受信すると共に、これら複数の受信スロットのうち隣接する２スロット期間に跨る１個の送信スロットにおいて送信を行う、時分割多元接続方式を採用した移動通信端末において、
送信及び受信に使用される第１のアンテナと、
前記第１のアンテナに対し位置的に離間して配置され、受信のみに使用される第２のアンテナと、
前記第１及び第２のアンテナを択一的に切り替えて前記送信回路及び受信回路に接続するアンテナ切替回路と、
前記フレームごとに、前記第１及び第２のアンテナの切替制御を行う制御手段と
を具備し、
前記制御手段は、
前記フレームの最初の受信スロットにおいて受信されたパケットデータから所定の冗長ビット期間を検出する第１検出手段と、
前記第１検出手段により検出された冗長ビット期間内にアンテナ切替制御期間を設定し、この設定したアンテナ切替制御期間内で前記第１のアンテナと第２のアンテナとを交互に切り替えるように前記アンテナ切替回路を制御して、それぞれのアンテナによる受信品質を検出する受信品質検出手段と、
前記受信品質検出手段による検出結果をもとに受信品質の良好なアンテナを選択し、この選択したアンテナを前記送信回路及び受信回路に接続させるように前記アンテナ切替回路を制御する選択切替手段と、
前記選択切替手段による切替制御後に、前記送信回路及び受信回路に接続されているアンテナが第１のアンテナであるか第２のアンテナであるかを判定する判定手段と、
前記判定手段により前記第２のアンテナが接続されていると判定された場合に、前記送信スロットと重ならない直前の受信スロットにおいて受信されたパケットデータから所定の冗長ビット期間を検出する第２検出手段と、
前記第２検出手段により検出された冗長ビット期間内に、前記送信回路及び受信回路に接続するアンテナを前記第２のアンテナから前記第１のアンテナに切り替えるように前記アンテナ切替回路を制御する手段と
を備えることを特徴とする移動通信端末。
【発明の詳細な説明】
【技術分野】
【０００１】
この発明は、この発明は、携帯電話機やＰＤＡ（Personal Digital Assistants）等の移動通信端末に係わり、特にパケットデータ通信機能を備えた移動通信端末に関する。
【背景技術】
【０００２】
近年、携帯電話機に代表される移動通信端末が急速に普及している。これらの端末はバッテリを電源としており、バッテリの大きさが端末のサイズに大きな影響を及ぼす。そこで、このバッテリの小型化を図るために、消費電力を低減する各種の工夫がなされており、その一つにバッテリセービング機能がある。
【０００３】
このバッテリセービング機能は、例えば送信の場合、送信回路の電源を送信スロットの直前でオンして、送信スロットの直後にオフすることにより電力の浪費を防止するものである。しかし、送信回路の電源をオンオフするとそれに伴うバッテリ電圧の変動の影響を受けて、周波数シンセサイザの局部発振周波数が変動を起こす。これは、例えば音声通信のように送信と受信とを別々の時間帯に行なう場合には問題にならないが、パケット送受信動作を行なう場合に問題になることがある。
【０００４】
図９はこの問題点を説明するためのタイミング図である。同図に示すように、パケットデータを送受信する動作モードの一つとして、１フレームの３個のスロットＲｍ１〜Ｒｍ３をすべて使用してパケットデータを受信し、かつそれと同時に１個のスロットＴｍ１を使用して送信を行う場合がある。この状態で、送信スロットＴ１の前後における任意のタイミングで送信回路への電源のオンオフを行うと、この送信電源のオンオフの影響により受信局部発振周波数が図示する如く変動し、パケットデータの受信動作が不安定となってビット誤り等を起こすことがある。
【０００５】
一方移動通信端末には、メインアンテナとサブアンテナとからなる２つのアンテナを設け、これらのアンテナを選択的に使用して受信アンテナダイバーシチを行う機能を備えたものがある。この機能は、例えば図１０に示すように、受信スロット直前のＬＭ期間と呼ばれる前置期間において、メインアンテナとサブアンテナとを順次切り替えてそれぞれの受信電界強度を測定し、この測定結果をもとに受信電界強度の高い側のアンテナを送受信回路に接続することにより実現している。また、前置期間だけでなくそれに続く同期語の期間も利用してアンテナを切り替える技術も提案されている（例えば、特許文献１を参照。）。
【特許文献１】特開平６−２０４９２５号公報
【発明の開示】
【発明が解決しようとする課題】
【０００６】
ところが、先に述べたように３個の受信スロットＲｍ１〜Ｒｍ３をすべて使用してパケットデータを受信する場合には、ＬＭ期間を設定できずにパケットデータの受信中に上記アンテナ切替のための測定動作と接続切替動作とを行わなければならなくなる。また同期語の期間を利用する技術を採用したとしても、同期が確立されて同期保護状態に移行するまでは、依然として測定動作と接続切替動作をパケットデータの受信期間中に行わなければならない。このため、上記アンテナ切替制御期間に図示する如く受信信号レベルが大きく変動し、この結果パケットデータに誤りが発生することがある。
【０００７】
この発明は上記事情に着目してなされたもので、その目的とするところは、受信信号の品質劣化を生じることなく、受信アンテナダイバーシチのための制御を行えるようにした移動通信端末を提供することである。
【課題を解決するための手段】
【０００８】
上記目的を達成するためにこの発明は、次のような手段を講じたものである。  
すなわち、受信回路及び送信回路を備え、フレームごとに時分割多重された複数の受信スロットにおいてそれぞれパケットデータを受信すると共に、これら複数の受信スロットのうち隣接する２スロット期間に跨る１個の送信スロットにおいて送信を行うように制御される、時分割多元接続方式を採用した移動通信端末において、送信及び受信に使用される第１のアンテナと、上記第１のアンテナに対し位置的に離間して配置され、受信のみに使用される第２のアンテナと、これら第１及び第２のアンテナを択一的に切り替えて前記送信回路及び受信回路に接続するアンテナ切替回路と、上記フレームごとに、上記第１及び第２のアンテナの切替制御を行う制御手段とを具備する。
【０００９】
そして、制御手段において、先ず上記フレームの最初の受信スロットにおいて受信されたパケットデータから所定の冗長ビット期間を検出してこの検出された冗長ビット期間内にアンテナ切替制御期間を設定し、この設定したアンテナ切替制御期間内で上記第１のアンテナと第２のアンテナとを交互に切り替えるように上記アンテナ切替回路を制御して、それぞれのアンテナによる受信品質を検出する。そして、この受信品質の検出結果をもとに受信品質の良好なアンテナを選択して、この選択したアンテナを上記送信回路及び受信回路に接続させるように上記アンテナ切替回路を制御する。次に、このアンテナの切替制御後に、上記送信回路及び受信回路に接続されているアンテナが第１のアンテナであるか第２のアンテナであるかを判定する。そして、この判定の結果、第２のアンテナが接続されている場合には、上記送信スロットと重ならない直前の受信スロットにおいて受信されたパケットデータから所定の冗長ビット期間を検出し、この検出された冗長ビット期間内に上記送信回路及び受信回路に接続するアンテナを第２のアンテナから第１のアンテナに切り替えるように上記アンテナ切替回路を制御するようにしたものもである。
【発明の効果】
【００１０】
したがってこの発明によれば、受信したパケットデータ内の必ずしも受信する必要のない冗長ビット期間を利用してアンテナ切替制御が行なわれる。このため、アンテナ切替制御によって起こる受信レベルの変動が、受信パケットデータ中の必要なデータ部分に影響を及ぼさないようにできる。これにより、パケット通信時にアンテナ切替を行っても受信データの品質が劣化することを防止できる。  
すなわち、この発明によれば、受信信号の品質劣化を生じることなく、受信アンテナダイバーシチのための制御を行えるようにした移動通信端末を提供することができる。
【発明を実施するための最良の形態】
【００１１】
（第１の実施形態）
図１はこの発明の第１の実施形態に係わる移動通信端末の回路構成を示すブロック図である。この移動通信端末は、無線アクセス方式として時分割多元接続（ＴＤＭＡ：Time Division Multiple Access）方式を使用したものである。
【００１２】
同図において、図示しない基地局から無線チャネルを介して送られた無線搬送波信号は、アンテナ１で受信されたのちアンテナ共用器（ＤＵＰ）２を介して受信回路（ＲＸ）３に入力される。この受信回路３では、上記受信された無線搬送波信号が周波数シンセサイザ（ＳＹＮ）４から出力された受信局部発振信号とミキシングされて受信中間周波信号に周波数変換される。そしてこの受信中間周波信号は、低域通過フィルタを含むＡ／Ｄ変換器６においてサンプリングされたのち、ディジタル復調回路（ＤＥＭ）７に入力される。
【００１３】
ディジタル復調回路７では、上記ディジタル受信中間周波信号に対するフレーム同期及びビット同期が確立されたうえで、ディジタル復調処理が行われる。この復調処理により得られたベースバンドのディジタル復調信号は、時分割多元接続回路（ＴＤＭＡ）８に入力され、ここで伝送フレームごとに自己宛てのタイムスロットが分離抽出される。なお、上記ディジタル復調回路７において得られたフレーム同期及びビット同期の情報は制御回路１７に通知される。
【００１４】
上記ＴＤＭＡ回路８から出力されたディジタル復調信号は、続いて誤り訂正符号復号回路（ＣＨ−ＣＯＤ）９に入力され、ここで誤り訂正復号処理される。この誤り訂正復号されたディジタル復調信号には、そのときの通信形態によりメール等の情報データ、通話音声データとがある。このうち通話音声データは、音声符号復号回路（ＳＰ−ＣＯＤ）１０に入力されて音声復号化処理され、これによりディジタル受話信号が再生される。このディジタル受話信号はＤ／Ａ変換器１１でアナログ受話信号に戻されたのち図示しない受話増幅器を介してスピーカ１２から出力される。また、受信メールや受信ダウンロードデータ等の情報データは制御回路１７に取り込まれ、この制御回路１７Ａによりメモリ（ＭＥＭ）２０に保存されると共に、復号されて表示部２２に表示される。
【００１５】
一方、話者の送話音声は、マイクロホン１３により集音されて送話信号に変換され、さらに図示しない送話増幅器により所定のレベルに増幅されたのちＡ／Ｄ変換器１４に入力される。そして、このＡ／Ｄ変換器１４において所定のサンプリング周期でサンプリングされ、これによりサンプルパルス列からなるディジタル送話信号に変換される。このディジタル送話信号は、図示しないエコーキャンセラで音響エコーがキャンセルされたのち、音声符号復号回路（ＳＰ−ＣＯＤ）１０に入力され、ここで音声符号化される。
【００１６】
この音声符号化されたディジタル送話信号は誤り訂正符号復号回路（ＣＨ−ＣＯＤ）９に入力され、ここで誤り訂正符号化される。また、制御回路１７Ａから出力された画像データや送信メール等の情報データも上記誤り訂正符号復号回路９に入力され、誤り訂正符号化される。そして、この誤り訂正符号復号回路９から出力されたディジタル送信信号はＴＤＭＡ回路８に入力される。ＴＤＭＡ回路８では、時分割多元接続（ＴＤＭＡ）方式に対応した伝送フレームが生成され、この伝送フレーム中の自装置に割り当てられたタイムスロットに上記ディジタル送信信号を挿入するための処理が行われる。
【００１７】
上記ＴＤＭＡ回路８から出力されたディジタル送信信号は、続いてディジタル変調回路（ＭＯＤ）１５に入力される。ディジタル変調回路１５では、上記ディジタル送信信号によりディジタル変調された送信中間周波信号が生成され、この送信中間周波信号はＤ／Ａ変換器１６によりアナログ信号に変換されたのち送信回路（ＴＸ）５に入力される。なお、ディジタル変調方式としては、例えばπ／４シフトＤＱＰＳＫ（π／４shifted, differentially encoded quadrature phase shift keying）方式が使用される。
【００１８】
送信回路５では、上記変調された送信中間周波信号が周波数シンセサイザ４から出力された送信局部発振信号とミキシングされ、これにより無線通話チャネルに対応する無線搬送波周波数に変換される。そして、この送信無線搬送波信号は図示しない送信電力増幅器で所定の送信電力レベルに制御されたのち、アンテナ共用器２を介してアンテナ１から図示しない基地局へ向けて送信される。
【００１９】
なお、キー入力部２１は、発信キー、終了キー、複数の機能キー及びダイヤルキー等の通信に必要な各種キーを備えている。
【００２０】
表示器２２は、例えば液晶表示器（ＬＣＤ：Liquid Crystal Display）を使用したもので、制御回路１７Ａから出力される表示データを表示する。表示データには、電話帳や送受信履歴などの管理データ、装置の動作状態を表すデータに加え、送受信メールや画像データなども含まれる。
【００２１】
メモリ２０は、例えばＲＡＭ又はフラッシュメモリからなり、電話帳や、通信相手の端末或いは情報サイトから受信したメールやダウンロードデータ、送信メール等も保存する。
【００２２】
電源回路１９は、二次電池からなるバッテリ１８の出力電圧をもとに、移動通信端末の各回路の動作に必要な電源電圧Ｖccと、送信回路５の動作に必要な送信電源電圧Ｖtxを発生する。
【００２３】
送信電源供給回路２３は、送信回路５に対する送信電源電圧Ｖtxの供給を、制御回路１７Ａから指示される送信電源のオンオフタイミングに従って制御する。
【００２４】
制御回路１７Ａは、例えばマイクロコンピュータを主制御部として備えたもので、無線アクセス制御機能、通話制御機能又はパケット通信制御機能等の通常の制御機能に加え、ＰＥビット検出機能１７ａと送信電源タイミング制御機能１７ｂとを備えている。
【００２５】
ＰＥビット検出機能１７ａは、パケット通信時において、移動通信端末が受信したパケットデータのうちＰＥビット部分を検出する機能である。図５は、パケット通信用物理チャネルのスロット構成である。衝突制御ビット（Ｅビット）のうち、Ｉ／ＢとＲ／Ｎは受信しなければならないが、部分エコー（ＰＥビット）はその直前でデータを送信していなければ、必ずしも受信する必要はないビットであり、ＰＥビット検出機能１７ａはこのＰＥビットを検出する。
【００２６】
送信電源タイミング制御機能１７ｂは、マルチスロットを使用したパケットデータ受信中に同時に送信を行う場合に、バッテリセービング機能に基づく送信電源オンオフ動作を、上記ＰＥビット検出機能１７ａにより検出されたＰＥビット内で行うように、送信電源のオンオフタイミングを制御する機能である。
【００２７】
以上のように構成された移動通信端末におけるデータ送受信動作を説明する。
【００２８】
図２は移動通信端末のデータ受信時における制御手順とその内容を示すフローチャートである。発信又は着信により通信要求が発生すると、制御回路１７Ａはステップ２ａからステップ２ｂに移行して、当該通信のモードがシングルスロット通信モードであるかマルチスロット通信モードであるかを判断する。そして、シングルスロット通信モードの場合は、ステップ２ｃで通常の送受信とも１スロットを使用する通信処理を実行する。
【００２９】
一方マルチスロット通信モードの場合には、制御回路１７Ａは先ずステップ２ｄにおいて受信すべき複数のスロットを設定する。そして通信が開始されると、制御回路１７Ａはステップ２ｆにおいて、設定された各受信スロットからそれぞれ受信パケットデータを抽出し、この抽出したパケットデータをステップ２ｇによりメモリ２０に記憶する。制御回路１７Ａはステップ２ｅにて通信の終了が検出されるまでこの制御を繰り返す。そして、通信終了後のユーザの操作に応じて、ステップ２ｈで受信データを表示部２２に表示させる。
【００３０】
一方、上記パケットデータの受信制御と並行して制御回路１７Ａは、基地局から割り当てられた１個の送信スロットを使用してデータ送信制御を実行する。そして、その際に送信回路５に対する送信電源電圧Ｖtxの供給タイミングの制御を行う。図３はその制御手順と制御内容を示すフローチャート、図４は送信電源電圧Ｖtxの供給タイミングを示すタイミングチャートである。
【００３１】
データ通信が開始されると制御回路１７Ａは、先ずステップ３ａで送信スロットの直前の受信スロットにおいて受信されたパケットデータから、図５に示すようにその末尾に配置されている衝突制御ビット（Ｅビット）を検出し、さらにこのＥビット中の部分エコー（ＰＥビット）を検出する。このＰＥビットは直前の送信スロットで送信を行わない場合には必ずしも受信しなくてもよいビットである。
【００３２】
制御回路１７Ａは、上記ＰＥビットを検出すると、ステップ３ｂにおいてこのＰＥビット受信期間中の任意のタイミング、例えば１ビット目のタイミングを送信電源オンタイミングに決定し、ステップ３ｃによりこの決定された送信電源オンタイミングにおいて送信電源オン信号を送信電源供給回路２３に与える。送信電源供給回路２３は、上記送信電源オン信号が与えられた時点で、図４に示すように送信回路５に対する送信電源電圧Ｖtxの供給を開始する。このため、送信回路５は送信動作が可能な状態となる。したがって、送信スロット期間において送信回路５では送信データの無線送信動作が行われる。
【００３３】
制御回路１７Ａは、上記送信動作期間中にステップ３ｄにより送信スロット期間の終了を監視する。そして、送信スロット期間が終了するとステップ３ｅに移行し、ここで上記送信スロット期間終了直後の受信スロットにおいて受信されたパケットデータからＥビットを検出し、さらにこのＥビット中のＰＥビットを検出する。このＰＥビットを検出すると制御回路１７Ａは、ステップ３ｆにおいてこのＰＥビット受信期間中の任意のタイミング、例えば１ビット目のタイミングを送信電源オフタイミングに決定し、ステップ３ｇによりこの決定された送信電源オフタイミングにおいて送信電源オフ信号を送信電源供給回路２３に与える。送信電源供給回路２３は、上記送信電源オフ信号が与えられた時点で、図４に示すように送信回路５に対する送信電源電圧Ｖtxの供給を停止する。
【００３４】
以後同様に制御回路１７Ａは、送信スロットごとに上記送信電源供給制御を繰り返す。
【００３５】
このように第１の実施形態では、送信スロットの直前及び直後の受信スロットにおいて受信されたパケットデータからＰＥビットをそれぞれ検出し、このＰＥビット期間に送信回路５に対する送信電源電圧Ｖtxの供給をオンオフするようにしている。
【００３６】
したがって、上記送信電源電圧Ｖtxの供給のオンオフ動作により電源回路１９の電源電圧Ｖccが変動し、それにより周波数シンセサイザ４の受信局部発振周波数が変動して受信回路３の受信動作が不安定になったとしても、その影響を受ける部分は受信パケットデータ中のＰＥビットのみとなり、受信パケットデータ中の他の重要なビットはすべて正常に受信される。このため、受信品質を良好に保持した上で、送信バッテリセービング動作を行うことができる。
【００３７】
（第２の実施形態）
図６は、この発明の第２の実施形態に係わる移動通信端末の回路構成を示すブロック図である。なお、同図において、前記図１と同一部分には同一符号を付して詳しい説明は省略する。
【００３８】
第２の実施形態に係わる移動通信端末は、第１のアンテナ（メインアンテナ）１と、第２のアンテナ（サブアンテナ）２４と、これらのアンテナ１、２３を択一的にアンテナ共用器２に接続するアンテナ切替器２５とを備えている。
【００３９】
制御回路１７Ｂは、受信アンテナダイバーシチ制御機能を備え、この機能により上記メインアンテナ１及びサブアンテナ２４による受信電界強度（ＲＳＳＩ）を受信電界強度検出器２６の出力をもとに各々検出し、その検出結果をもとにアンテナ切替器２５を切替制御して受信電界強度の良好なアンテナをアンテナ共用器２に接続させる。
【００４０】
ところで、制御回路１７Ｂは上記受信アンテナダイバーシチを実現するための新たな機能として、ＰＥビット検出機能１７ａと、アンテナ切替タイミング制御機能１７ｃとを備えている。
【００４１】
ＰＥビット検出機能１７ａは、パケット通信時において、移動通信端末が受信したパケットデータのうちＰＥビット部分を検出する機能である。図５は、パケット通信用物理チャネルのスロット構成である。衝突制御ビット（Ｅビット）のうち、Ｉ／ＢとＲ／Ｎは受信しなければならないが、部分エコー（ＰＥビット）はその直前でデータを送信していなければ、必ずしも受信する必要はないビットであり、ＰＥビット検出機能１７ａはこのＰＥビットを検出する。
【００４２】
アンテナ切替タイミング制御機能１７ｃは、上記ＰＥビット検出機能１７ａにより検出されたＰＥビット期間で、メインアンテナ１とサブアンテナ２４とを交互に切り替えて、各々の受信電界強度を測定し、且つその測定結果に基づいて使用すべきアンテナを選択する。そして、この選択されたアンテナをアンテナ共用器２に接続させるためのアンテナ切替信号ＡＳＷを生成して、アンテナ切替器２５に与える。
【００４３】
次に、以上のように構成された移動通信端末による受信アンテナダイバーシチ制御動作を説明する。図７はその制御手順と制御内容を示すフローチャート、図８は切替動作タイミングを示すタイミングチャートである。
【００４４】
マルチスロットモードによるパケット通信が開始されると、制御回路１７Ｂは先ずステップ７ａにおいてフレームの最初の受信スロットで受信されたパケットデータからＰＥビットを検出する。そしてステップ７ｂにおいて、図８に示すように上記検出したＰＥビット期間内にアンテナ切替制御期間を設定する。そしてステップ７ｃにより、上記設定された制御期間内にアンテナ切替信号ＡＳＷをアンテナ切替器２５に与えてメインアンテナ１とサブアンテナ２４とを交互に切替え、これにより各アンテナ１、２４の受信電界強度（ＲＳＳＩ）をそれぞれ測定する。
【００４５】
続いて、上記測定結果に基づいてＲＳＳＩが良好な側のアンテナをステップ７ｄで選択し、この選択されたアンテナをアンテナ共用器２に接続させるためのアンテナ切替信号ＡＳＷをアンテナ切替器２５に与える（ステップ７ｅ）。このため、上記選択されたアンテナがアンテナ共用器２に接続され、以後このアンテナにより受信動作が開始される。
【００４６】
例えば、メインアンテナ１のＲＳＳＩの方が高ければメインアンテナ１がアンテナ共用器２に接続され、一方サブアンテナ２４のＲＳＳＩの方が高ければサブアンテナ２４がアンテナ共用器２に接続される。ここで、メインアンテナ１としては例えば端末の筐体外に突出するロッドアンテナ又はヘリカルアンテナが用いられ、一方サブアンテナ２４としては筐体内に収容される平面アンテナが用いられる。このため、メインアンテナ１は受信と送信の両方に使用され、一方サブアンテナ２４は受信のみに使用される。
【００４７】
上記アンテナの切替制御が終了して受信動作期間に移行すると、制御回路１７Ｂは続いてステップ７ｆにおいて、現在接続中のアンテナはメインアンテナ１であるか或いはサブアンテナ２４であるかを判定する。そして、現在接続中のアンテナがサブアンテナ２４であれば、送信スロット期間には使えないためメインアンテナ１に切替えるための制御を行う。
【００４８】
すなわち、制御回路１７Ｂはステップ７ｇで送信スロットの直前の受信スロットで受信されたパケットデータからＰＥビットを検出する。そして、この検出されたＰＥビット期間に、図８に示すようにサブアンテナ２４をメインアンテナ１に切り替えるためのアンテナ切替信号ＡＳＷを発生して、アンテナ切替器２５に与える（ステップ７ｈ）。このため、以後送信回路５及び受信回路３はメインアンテナ１に接続され、これにより受信動作と共に送信動作も可能となる。
【００４９】
一方、上記ステップ７ｆの判定の結果、現在接続中のアンテナがメインアンテナ１であったとすれば、メインアンテナ１は送受信両用であるため、切り替えを行わずにそのままこのメインアンテナ１による受信動作及び送信動作を行う。
【００５０】
以後、上記アンテナの切替制御はフレームごとに行われる。
【００５１】
以上述べたように第２の実施形態では、フレームごとにその最初の受信スロットで受信されたパケットデータからＰＥビットを検出し、このＰＥビット期間にメインアンテナ１とサブアンテナ２４を交互に切り替えてそれぞれＲＳＳＩを測定し、その測定結果をもとにＲＳＳＩの高い側のアンテナを選択してアンテナ共用器２に接続するようにしている。
【００５２】
したがって、上記アンテナの切替制御により受信信号レベルが図８に示すように変動したとしても、その影響を受ける部分は受信パケットデータ中のＰＥビットのみとなり、受信パケットデータ中の他の重要なビットはすべて正常に受信される。このため、受信品質を良好に保持した上で、受信アンテナダイバーシチ制御を行うことができる。
【００５３】
（その他の実施例）
第２の実施形態では、マルチスロット通信モードを前提に、アンテナ切替制御期間を受信パケットデータ中のＰＥビット期間内に設定する場合を例にとって説明したが、このアンテナ切替制御はシングル通信モードの場合にも同様に実施可能である。なお、シングル通信モードについてのみ、図１０に示したＬＭ期間を利用してアンテナ切替制御を実行することも勿論可能である。
【００５４】
第２の実施形態では、サブアンテナ２４として受信専用アンテナを使用した場合を例にとって説明したが、送受両用アンテナを使用してもよい。この場合には、送信スロット期間に備えてサブアンテナをメインアンテナに切り替える制御を不要にすることができ、制御回路の制御負担を軽減できる。
【００５５】
第２の実施形態では、１フレーム周期でアンテナ切替制御を実行する場合を例にとって説明したが、アンテナ切替制御は１スロット周期或いは複数フレーム周期で実行するようにしてもよい。
【００５６】
さらに、移動通信端末に端末の移動速度を検出する機能が設けられている場合には、検出された移動速度に応じて上記アンテナ切替制御の実行周期を可変設定するようにしてもよい。例えば、端末の移動速度が所定速度より速い場合にはフェージング等による受信レベルの変化も高速になるので、アンテナ切替制御の実行周期を例えば１フレーム長或いは１スロット長に設定する。これに対し、端末の移動速度が所定速度より遅い場合には受信レベルの変化は比較的遅くなるので、アンテナ切替制御の実行周期を例えば複数フレーム長に設定する。
【００５７】
また、上記アンテナ切替制御の実行周期は、移動通信端末の位置に応じて可変設定するようにしてもよい。例えば、ＧＰＳ機能を用いて自端末の位置を検出する。そして、この検出された位置が都心部や山間部等のように無線伝播環境が劣化しやすい位置の場合には、アンテナ切替制御の実行周期を例えば１フレーム長或いは１スロット長に設定する。これに対し、端末の位置が郊外や田舎等のように無線伝播環境が比較的良好な位置の場合には、アンテナ切替制御の実行周期を例えば複数フレーム長に設定する。
【００５８】
以上のようにすることで、端末の移動速度や位置に応じて最適な受信アンテナダイバーシチ制御を実行することが可能となる。
【００５９】
その他、移動通信端末の種類とその構成、送信電源オンオフ制御やアンテナ切替制御の手順と内容等についても、この発明の要旨を逸脱しない範囲で種々変形して実施できる。
【００６０】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００６１】
【図１】この発明の第１の実施形態に係わる移動通信端末の回路構成を示すブロック図。
【図２】図１に示した移動通信端末におけるデータ受信時の制御手順とその内容を示すフローチャート。
【図３】図１に示した移動通信端末におけるパケットデータ送受信時の送信電源電圧Ｖtxの供給タイミング制御手順とその内容を示すフローチャート。
【図４】図１に示した移動通信端末におけるパケットデータ送受信時の送信電源電圧Ｖtxの供給タイミングを示すタイミングチャート。
【図５】パケット通信用物理チャネルのスロット構成を示す図。
【図６】この発明の第２の実施形態に係わる移動通信端末の回路構成を示すブロック図。
【図７】図６に示した移動通信端末における受信アンテナダイバーシチの制御手順とその内容を示すフローチャート。
【図８】図６に示した移動通信端末におけるアンテナ切替動作タイミングの制御動作を示すタイミングチャート。
【図９】パケット通信における３スロット受信且つ１スロット送信の場合の送信電源オンオフ制御動作を示すタイミングチャート。
【図１０】送受信に１スロットを使用した場合の受信アンテナダイバーシチ制御動作を示すタイミングチャート。
【符号の説明】
【００６２】
１…アンテナ（メインアンテナ）、２…アンテナ共用器（ＤＵＰ）、３…受信回路（ＲＸ）、４…周波数シンセサイザ（ＳＹＮ）、５…送信回路（ＴＸ）、６，１４…Ａ／Ｄ変換器、７…ディジタル復調回路（ＤＥＭ）、８…時分割多元接続回路（ＴＤＭＡ）、９…誤り訂正符合復号回路（ＣＨ−ＣＯＤ）、１０…音声符号復号回路（ＳＰ−ＣＯＤ）、１１，１６…Ｄ／Ａ変換器、１２…スピーカ、１３…マイクロホン、１５…ディジタル変調回路（ＭＯＤ）、１７Ａ，１７Ｂ…制御回路、１７ａ…ＰＥビット検出機能、１７ｂ…送信電源タイミング制御機能、１７ｃ…アンテナ切替タイミング制御機能、１８…バッテリ、１９…電源回路（ＰＯＷ）、２０…メモリ（ＭＥＭ）、２１…キー入力部、２２…表示部、２３…送信電源供給回路、２４…アンテナ（サブアンテナ）、２５…アンテナ切替器、２６…受信電界強度検出器（ＲＳＳＩ）。
【図１】
2007043749.tif 000003
【図２】
2007043749.tif 000004
【図３】
2007043749.tif 000005
【図４】
2007043749.tif 000006
【図５】
2007043749.tif 000007
【図６】
2007043749.tif 000008
【図７】
2007043749.tif 000009
【図８】
2007043749.tif 000010
【図９】
2007043749.tif 000011
【図１０】
2007043749.tif 000012